(57)【要約】【課題】  遊技部品の裏面に案内通路を形成した弾球遊技機を提供すること。【解決手段】中央に前後開口する窓口を有して枠状に形成され、遊技盤面の略中央に配設される遊技部品と、該遊技部品の所定箇所に設けられた入球部と、前記遊技部品の窓口に配設される図柄表示装置と、前記遊技盤面の裏面の前記所定箇所より下側に設けられ、前記入球部に流入した遊技球を外部に誘導する球通路とを備える弾球遊技機において、前記遊技部品の裏面に、前記入球部に流入した遊技球を、前記球通路に誘導する案内通路を配設した。【選択図】  図１６
2006034428.tif 000002
【特許請求の範囲】
【請求項１】
中央に前後開口する窓口を有して枠状に形成され、遊技盤面の略中央に配設される遊技部品と、
該遊技部品の所定箇所に設けられた入球部と、
前記遊技部品の窓口に配設される図柄表示装置と、
前記遊技盤面の裏面の前記所定箇所より下側に設けられ、前記入球部に流入した遊技球を外部に誘導する球通路とを備える弾球遊技機において、
前記遊技部品の裏面に、前記入球部に流入した遊技球を、前記球通路に誘導する案内通路を配設したことを特徴とする弾球遊技機。
【請求項２】
前記案内通路は、前記遊技部品と一体的に形成されていることを特徴とする請求項１に記載の弾球遊技機。
【請求項３】
前記案内通路は、前記入球部ごとに別個に配設されていることを特徴とする請求項１乃至２に記載の弾球遊技機。
【発明の詳細な説明】
【技術分野】
【０００１】
本発明は、パチンコ遊技機等の弾球遊技機に関し、入球部に流入した遊技球を外部に排出する球通路を有する弾球遊技機に関する。
【背景技術】
【０００２】
従来のパチンコ遊技機に代表される弾球遊技機は、遊技盤を着脱自在に装着し打球発射装置等が取り付けられた開閉搭載枠たる前枠に、賞球払出装置や各種制御基板が装備された裏セット盤が横開き開閉自在に取り付けられて構成されている。
【０００３】
その概要構成を図１から図４に示す。図１は弾球遊技機ＰＭを正面から見た正面図、図２は弾球遊技機ＰＭを裏面から見た背面図（遊技盤の裏面構成を記載省略している）、図３は裏セット盤ＢＳＰから各種回路基板やカバー類を取り外した状態で示す背面図、図４はさらに裏セット盤ＢＳＰを取り外した状態で遊技盤２０の裏面構成を示す背面図である。
【０００４】
弾球遊技機ＰＭは、外郭方形枠サイズに構成されて縦向きの固定保持枠を成す外枠１の開口前面に、これに合わせた方形枠サイズに構成されて開閉搭載用の前枠２が互いの正面左側上下に配設されたヒンジ部材３ａ，３ｂにより横開き開閉および着脱可能に取付けられ、正面右側に設けられた施錠装置４を利用して外枠１と係合された閉鎖状態で遊技に供される。
【０００５】
前枠２の正面側には、前枠２の前側面域に合わせた方形状のガラス扉５および上球皿６がともに横開き開閉及び着脱が可能に組付けられており、施錠装置４および図示しないロック機構を利用して前枠２の前面を覆う閉止状態で保持される。上球皿６には払い出された遊技球を貯留して整列させる球皿部６ａが設けられるとともに、球皿部６ａに貯留する遊技球を下球皿７に排出させる球抜きレバー６ｂが設けられ、この下球皿７と並んで遊技球の発射操作を行う操作ハンドル８が取り付けられている。
【０００６】
前枠２の裏側には、この前枠２と一体に方形枠状の収容枠２ａが成形されており、この収容枠２ａに所定のゲージ設定で構成された遊技盤２０が複数の係合レバー１７，１７・・・により着脱交換可能にセット保持される。収容枠２ａは遊技盤２０をセット保持したときに、遊技盤２０の前面が閉鎖状態にあるガラス扉５のガラス板と所定間隔をおいて対向するように構成されており、遊技盤面とガラス板内面との間に遊技球が落下移動する遊技領域空間が形成される。また、前枠２の裏側下部には打球発射装置９が取り付けられ、前枠２における収容枠２ａの下部に前枠２と一体に遊技補助盤１０が形成されている。なお、遊技補助盤１０の表側には打球発射装置９のハンマーと位置整合して遊技球を遊技盤の外レールに向けて発射する発射レールや、効果音を発生するスピーカ等が取り付けられている。遊技補助盤１０は上球皿６の裏側に位置し、常には閉鎖状態に保持される上球皿６によりその表面側が覆われている。
【０００７】
収容枠２ａの裏側に球貯留供給機構４０や賞球払出機構５０等を有する裏セット盤ＢＳＰが上下のヒンジ１８，１８で横開き開閉及び着脱が可能に装備され、常には閉鎖レバー１９，１９・・・を用いて遊技盤２０の裏面を覆うように閉鎖保持される。裏セット盤ＢＳＰの各部には、この弾球遊技機ＰＭの作動を統括的に制御する主制御基板９１や、賞球の払出制御を行う賞球制御基板９２、効果照明や効果音の作動制御を行うランプ・音声制御基板９３、各制御基板や電子部品に所定の電力を供給する電源基板９４、複数のコネクタが取り付けられて制御信号や電力の中継を行う中継基板９５、遊技機の作動状態を遊技施設側に出力するためのターミナル基板９６等の各種基板や賞球カセット５３などの電子部品が取り付けられ、各機器が図示しないワイヤーハーネスで接続される。弾球遊技機ＰＭは、全体が所要の後傾角度（例えば、１度以内の後傾角）で遊技施設の遊技島に縦向きに保持される。
【０００８】
弾球遊技機ＰＭは、上球皿６およびガラス扉５が閉止施錠された状態（図１に示す状態）で遊技に供され、球皿部６ａに遊技球を貯留させて操作ハンドル８を回動操作することにより遊技が開始される。操作ハンドル８の操作レバーが回動操作されると、球皿部６ａに貯留する遊技球が図示省略する球送り装置によって１球ずつ発射レール上に送り出され、打球発射装置９のハンマーに打ち出されて遊技盤２０の外レール２２ａに沿って遊技領域ＰＡに導かれ、以降パチンコゲームが展開される。
【０００９】
遊技盤２０は所定板厚の積層合板の表面にセルが貼り付けられた化粧板２１の前面側に、ステンレス鋼板等を利用した帯状の外レール２２ａおよび内レール２２ｂ（これらを合わせて案内レール２２と称する）が固設され、この案内レール２２に囲まれた内側に遊技領域ＰＡが区画される。遊技領域ＰＡ内には多数本の遊技釘とともに、複数の風車２３、入賞口２４や始動入賞部２５並びにアタッカーユニット２６などの入賞口、周囲に飾り部を有した図柄表示装置２８などが設けられている。
【００１０】
入賞口２４は、遊技球が落入可能な入賞孔を有し、ここに入賞した遊技球を検出する入賞球検出センサ（具体的には、遊技球の通過を磁気的、光学的または電気的手段等により検出するセンサ）が取り付けられている。入賞口２４の後側には化粧板２１を貫通する入賞球通路孔２４ｈが設けられており、入賞口２４に入賞した遊技球は入賞球通路孔２４ｈを通って遊技盤２０の裏面側に排出される。
【００１１】
始動入賞部２５は、いわゆる電動チューリップ構成の入賞口からなり、左右のチューリップ羽根を開閉させることができる。この始動入賞部２５にも入賞した遊技球を検出する入賞球検出センサが取り付けられるとともに、その後側に化粧板２１を貫通する入賞球通路孔（不図示）が設けられており、始動入賞部２５に入賞した遊技球は入賞球通路孔を通って遊技盤２０の裏面側に排出される。
アタッカーユニット２６は、中央に横長方形状の開口からなる大入賞口を有し、この大入賞口を開閉自在に覆って開閉扉が取り付けられている。開閉扉は通常閉止されており、遊技中において所定の遊技条件の下で特別遊技状態が成立したときに、開閉扉が前方にほぼ９０度倒されて大入賞口が開放される。大入賞口内には左右二つの入賞口が設けられ、それぞれに入賞球検出センサが取り付けられるとともに、このアタッカーユニット２６の後側に上記二つの入賞口に繋がって化粧板２１を貫通する二つの入賞球通路孔２６ｈ，２６ｈが設けられている。大入賞口から入賞した遊技球は入賞球通路孔２６ｈ，２６ｈを通って遊技盤２０の裏面側に排出される。
【００１２】
各入賞口２４，２５，２６に遊技球が入賞すると、各入賞口に取り付けられた入賞球検出センサによって入賞した遊技球が検出され、その入賞口の種類や遊技状況に応じた所定数の賞球が後述する賞球払出機構５０から上球皿６もしくは下球皿７に払い出される。また、図柄表示装置２８は遊技盤の前面側に液晶表示パネルを有しており、遊技盤２０の裏面側に取り付けられた画像制御基板９７により制御されて遊技状況に応じた種々の表示がなされる。
【００１３】
遊技領域ＰＡの最下部には、入賞口２４，２５，２６に入賞せずに落下した遊技球を集合して排出させるアウト口２７が設けられている。アウト口２７の後側には化粧板２１を貫通してアウト球通路孔２７ｈが形成されており、アウト口２７に集められた入賞せずに落下した遊技球がアウト球通路孔２７ｈを通って遊技盤２０の裏面側に排出される。化粧板２１の裏側には入賞球通路孔２４ｈ，２６ｈおよびアウト球通路孔２７ｈの裏側を覆い所定間隔をおいて不正防止用の裏カバー２９が固定され化粧盤裏面との間に排出空間を形成している。裏カバー２９の下端は開放されており、入賞球通路孔およびアウト球通路孔を通って遊技盤２０の裏面に排出された遊技球が上記排出空間を化粧板２１の裏面に沿って下方に落下する。
【００１４】
上記の落下した遊技球は、基枠体３０の表面側に形成されて遊技盤２０の裏面側に排出される遊技球を集合させる球通路７１で集められ、その後、裏セット盤ＢＳＰの下部に導く遊技球排出通路７５を通過して、遊技球排出通路７５の下方に設けられた遊技施設側の遊技球回収設備に排出される。
【００１５】
基枠体３０の表面側に形成される球通路７１は、入賞球通路孔２４ｈ，２６ｈ等およびアウト球通路孔２７ｈの出口下方に位置するように配設され、球通路７１の最下部略中央に、基枠体３０を前後に貫通する導出口７４が設けられ、基枠体３０の裏面側に形成された遊技球排出通路７５と繋がっている。
遊技球排出通路７５は各図に示すように多段に屈曲して形成されており、導出口７４から落下する遊技球の落下速度を緩和させ下端の排出口７５ｅから排出させている。（例えば、特許文献１参照）
【特許文献１】特開２００３−１６４６２９号公報
【発明の開示】
【発明が解決しようとする課題】
【００１６】
上述した従来の弾球遊技機では、入球部（各入賞口と払出し球の無い開口孔、例えば入賞口、始動入賞部、大入賞口及びアウト口）の裏面に球通路を配設し、入球部に流入した遊技球を上記の球通路から遊技施設側の遊技球回収設備に誘導している。さらに、遊技盤面の裏面のスペースとコストの問題から、上記の球通路を入球部ごとに設けず、上記の球通路を広くし、複数の入球部に対して１ヶ所の球通路を配設している。そのため、遊技盤面の裏面に、基板等の機器を配置し易くなっているが、上記の球通路を設けるために、広大なスペースを必要とし、入球部を近接配設するため、入球部を遊技盤面の下側にしか配設することができないといった問題もあった。
【００１７】
また、入球部を遊技盤面の上側、例えば、図柄表示装置等の上部に配設する場合、入球部に流入した遊技球を、従来のように複数の入球部に対する１ヶ所の球通路まで誘導させる必要があり、別個の通路を構成する必要があるが、図柄表示装置のサイズが大きくなったため、遊技盤面の裏面に該通路を配設するスペースを取れないといった問題もあった。
【課題を解決するための手段】
【００１８】
上記目的達成のため、本発明の弾球遊技機では、中央に前後開口する窓口を有して枠状に形成され、遊技盤面の略中央に配設される遊技部品と、該遊技部品の所定箇所に設けられた入球部と、前記遊技部品の窓口に配設される図柄表示装置と、前記遊技盤面の裏面の前記所定箇所より下側に設けられ、前記入球部に流入した遊技球を外部に誘導する球通路とを備える弾球遊技機において、
前記遊技部品の裏面に、前記入球部に流入した遊技球を、前記球通路に誘導する案内通路を配設している。
これにより、前記入球部に流入した遊技球を外部に誘導する球通路に誘導する案内通路を、上記の遊技部品に配設することで、図柄表示装置のサイズが大きくなっても、遊技盤面の裏面に案内通路を配設するスペースを確保することができる。また、入球部を遊技盤面の裏面の上側にも配設することもでき、遊技盤面の裏面に、基板等の機器を、より容易に配置することができる。
【００１９】
また、本発明の弾球遊技機では、前記案内通路は、前記遊技部品と一体的に形成されている。これにより、部品点数を削減することができ、上記の遊技部品と案内通路の組立て時の作業効率を向上することができる。
【００２０】
また、本発明の弾球遊技機では、前記案内通路は、前記入球部ごとに別個に配設しても良い。このようにすれば、複数の種類の入球部を遊技部品に配設することができる。
【発明の効果】
【００２１】
本発明によれば、中央に前後開口する窓口を有して枠状に形成され、窓口に図柄表示装置を備え、遊技盤面の略中央に配設される遊技部品に、入球部に流入した遊技球を外部に誘導する球通路に誘導する案内通路を配設することで、図柄表示装置のサイズが大きくなっても、遊技盤面の裏面に案内通路を配設するスペースを確保することができる。
また、入球部を遊技盤面の裏面の上側にも配設することもでき、遊技盤面の裏面に、基板等の機器を、より容易に配置することができる。更に、上記の遊技部品と案内通路を一体形成することで、部品点数を削減することができ、上記の遊技部品と案内通路の組立て時の作業効率を向上することができる。
また、入球部ごとに案内通路を設けることで、複数の種類の入球部を遊技部品に配設することができる。
【発明を実施するための最良の形態】
【００２２】
本発明の実施形態の一つについて、図面を参照して説明する。なお、以下に説明する実施形態は特許請求の範囲にかかる発明を限定するものではなく、また実施形態の中で説明されている特徴の組み合わせの全てが発明の解決手段に必須であるとは限らない。
【００２３】
はじめに、本発明の実施形態に係る弾球遊技機１０１の構成について図５及び図６を参照して説明する。
【００２４】
図５は、本発明の一の実形態に係る弾球遊技機の遊技盤面の外観を示す正面図、図６は、本発明の実施形態に係るセンター役物の斜視図である。
である。この弾球遊技機１０１の遊技盤面１０２の略中央には、本発明に係る遊技部品の一の実施形態であるセンター役物１２０が配設されている。センター役物１２０は、中央に前後開口する大きな窓口を有する枠状に形成された物理的役物で、その上部（上枠部）に遊技球が入球する役物入口１２１が形成されている。役物入口１２１からセンター役物１２０の側枠部にかけて、図示しない通路が形成され、下枠部には遊技球が転動する上段ステージ１３０と下段ステージ１４０とが配設されている。更に、上段ステージ１３０と下段ステージ１４０の間には特別通路１５０が配設されている。
【００２５】
上段ステージ１３０には、流下孔１３４が設けられ、特別通路１５０は該流下孔１３４に連設する。また、特別通路１５０の先端には落下孔１５２が形成され、センター役物１２０に入球した一部の遊技球は特別通路１５０を進んだ後、該落下孔１５２より下に落下する。
【００２６】
また、下段ステージ１４０には、遊技球を排出する排出経路１４１が設けられており、センター役物１２０に入球した多くの遊技球はこの排出経路１４１より排出される。  センター役物１２０の略中央（前述したセンター役物１２０の中央の大きな窓口部分）には、図柄や遊技演出等の識別情報を可変表示する可変表示装置の一例として、図柄表示装置１０３が配設されている。本実施形態の図柄表示装置１０３は、従来の図柄表示装置より大型の、例えば、１０．４インチサイズの液晶ディスプレイが用いられており、従来より迫力のある遊技演出を遊技者に提供することができる。なお、この図柄表示装置１０３は、主に液晶ディスプレイが使用されるが、画面上に画像等の識別情報を表示可能であれば、例えば、ＣＲＴ、ドットマトリックス等の表示装置であっても良い。
【００２７】
センター役物１２０の下方には、遊技球が入賞可能な始動入賞部１０４が配設されている。この始動入賞部１０４の上部の開口部には、開口幅を拡大させる拡大装置１０５、１０５が配設されている。この拡大装置１０５、１０５は、通常は遊技球を１個通過可能とするが２個同時通過不可能な幅を保つことにより、始動入賞部１０４への遊技球の入賞を困難なものとしているが、拡大作動時は広い範囲で遊技球を拾うことが可能となり、始動入賞部１０４への遊技球の入賞を容易なものとする。
【００２８】
更に、本実施形態では、上述したセンター役物１２０に入球し、特別通路１５０を通過して落下孔１５２より落下した遊技球は、拡大装置１０５、１０５の作動に関わらず始動入賞部１０４に入賞するように構成されている。一方、センター役物１２０に入球し、下段ステージ１４０の排出経路１４１より遊技盤面１０２の下方に排出された遊技球は、拡大装置１０５、１０５が作動（開放）されていれば始動入賞部１０４へ容易に入賞可能であるが、通常の状態（作動無し）では始動入賞部１０４への入賞は困難である。
【００２９】
始動入賞部１０４の左側には、遊技球が通過可能な作動ゲート１０７が配設され、該作動ゲート１０７の左側には入賞口１０６が配設されている。作動ゲート１０７には通過した遊技球を検出する図示しない検出装置が設けられ、遊技球の通過を契機として普通図柄表示部１１１における普通図柄の変動表示が開始される。普通図柄は普通図柄表示部１１１に設けられたランプの表示によって行われ、当該ランプが所定の状態に点灯すると、始動入賞部１０４の拡大装置１０５、１０５は所定時間だけ作動される。
【００３０】
次に、始動入賞部１０４の下方には、アタッカーユニット１０８が配設されている。このアタッカーユニット１０８の正面略中央には、特別遊技が実行される際に開放される大入賞口１０９が設けられている。特別遊技（大当たり）とは、図柄表示装置１０３に停止表示される図柄が所定の大当たり図柄の場合に遊技者に特別の利益が提供されるような遊技であって、特別遊技は所定のラウンド数（例えば、最大１５ラウンド）の単位特別遊技より構成される。単位特別遊技とは、通常は閉鎖されている大入賞口１０９を、例えば、所定の時間が経過するまで、又は、所定個数の遊技球の入賞があるまで特別に開放させ、この間に大入賞口１０９に入賞した各遊技球に対して所定の個数の賞球を遊技者に与えるような遊技である。
【００３１】
遊技盤面１０２の下端には、始動入賞部１０４、入賞口１０６、大入賞口１０９の何れにも入賞しなかった遊技球が排出されるアウト口１１０が配設されている。また、遊技盤面１０２には、遊技球の落下方向に変化を付けるための図示しない釘等が配設されている。そして、遊技盤面１０２の前面は、図示しないガラス板で覆われている。更に、遊技盤面１０２の下方には、遊技球を遊技盤面１０２の下端から上端へ打ち出すための図示しない弾球ハンドルや、始動入賞部１０４、入賞口１０６、大入賞口１０９に遊技球が入賞したときに所定の個数の遊技球が払い出される図示しない賞球払出口及びそれらの遊技球を受ける球受け皿がそれぞれ配設されている。
【００３２】
以上のような構成の弾球遊技機１０１の遊技の概要について、図５に基づき説明する。遊技者が弾球ハンドルを操作すると、遊技球が発射されガイドレール１１２に案内されて遊技盤面１０２の上方に放出される。遊技球の一部は役物入口１２１よりセンター役物１２０に入球し、他の遊技球は図示しない釘等に接触して落下方向を変化させながら、一部の遊技球は入賞口１０６又は始動入賞部１０４に入賞する。遊技球が入賞口１０６に入賞すると、賞球払出口から例えば５球の賞球が遊技者に払い出される。
【００３３】
上述したように、センター役物１２０に入球した一部の遊技球は特別通路１５０を経由して落下孔１５２より落下して始動入賞部１０４に入賞する。センター役物１２０に入球したその他の遊技球は、上段ステージ１３０、下段ステージ１４０上を転動後、排出経路１４１より遊技盤面１０２の下方に排出される。この排出された遊技球は、拡大装置１０５、１０５が開放されていれば始動入賞部１０４へ容易に入賞することが可能であるが、通常の状態では始動入賞部１０４へ入賞することは稀である。最終的に始動入賞部１０４又は入賞口１０６に入賞しなかった遊技球は、アウト口１１０を介して遊技盤面１０２の裏面側に排出される。
【００３４】
次に、遊技球が作動ゲート１０７を通過すると、図示しない作動ゲート通過検出装置からの通過信号を契機に普通図柄抽選が行われ、普通図柄表示部１１１において普通図柄の変動を開始する。そして、変動が開始してから例えば３０秒が経過すると、抽選された結果の態様で普通図柄が停止する。このとき普通図柄の停止態様が予め定められた当たりの態様であれば、始動入賞部１０４の拡大装置１０５、１０５が作動され、例えば０．５秒間だけ保持される。この間、始動入賞部１０４の開口幅が拡大されているので、始動入賞部１０４への入賞が容易となる。また、普通図柄の停止態様が予め定められた外れの態様であれば、始動入賞部１０４の拡大装置１０５、１０５は作動されないが、この場合でも始動入賞部１０４への入賞は可能である。なお、普通図柄表示部１１１において普通図柄の変動中に遊技球がゲート１０７を通過した場合には、その分の変動は保留されて順次実行される。
【００３５】
次に、遊技球が始動入賞部１０４に入賞すると、図示しない始動入賞検出装置からの検出信号を契機に賞球払出口から例えば５球の賞球が遊技者に払い出されると共に、乱数抽選による大当たり判定処理が開始される。当該判定結果は、図柄表示装置１０３に図柄を変動表示した後停止図柄を表示する図柄変動演出と図示しない音声出力部からの音声出力により遊技者に報知される。この図柄変動演出は、単に大当たり判定処理の結果を遊技者に報知するのみでなく、遊技者に大当たり当選を期待又は予感させる、例えば、リーチ、ダブルリーチ等の遊技演出を含み、遊技者に多くの興趣を与えるものである。
【００３６】
図柄表示装置１０３に所定の大当たり図柄（例えば、「７」「７」「７」の特定のゾロ目の図柄）が停止表示されると大当たり当選であって、続いて特別遊技が開始される。すなわち、普段は閉鎖されている大入賞口１０９が開放され、遊技球は大入賞口１０９へ入賞することが可能となる。遊技球が大入賞口１０９に入賞すると、賞球払出口から所定の個数（例えば１５球）の賞球が遊技者に払い出される。開放された大入賞口１０９は、例えば、開放後３０秒経過するか、１０球の入賞があるかの何れかにより一旦閉鎖される。そして、大入賞口１０９が開放されている間に、大入賞口１０９の内部に設けられているＶゾーンへの入賞があると、大入賞口１０９は一旦閉鎖された後、再度開放される。このような大入賞口１０９の開放及び閉鎖を所定の回数（例えば、１５ラウンド）だけ繰り返し行う。一方、大入賞口１０９が所定の回数だけ開閉を繰り返すか、大入賞口１０９の開放中にＶゾーンへの入賞が無かった場合には特別遊技は終了する。
【００３７】
次に、本発明に実施形態に係る弾球遊技機１０１の遊技盤面１０２の裏面構成について、図７乃至図１０を示して説明する。本実施形態にかかる弾球遊技機１０１では、センター役物１２０に本発明の案内通路３００を配設している。
【００３８】
図７は、本発明の実施形態に係る弾球遊技機の遊技盤面の裏面構成を示す背面図である。図７に示すように、遊技盤面１０２の裏面略中央には、図柄表示装置１０３や画像制御基板２０４を保護するためのカバー２０１が配設されている。カバー２０１の下側には、弾球遊技機１０１の動作を統括的に制御する主制御基板２０２が配設されている。さらに主制御基板２０２の下側には、上述した始動入賞部１０４、大入賞口１０９、入賞口１０６の何れにも入賞しなかった遊技球が排出されるアウト口１１０が配設されている。
【００３９】
図８は、図７でカバーを外した場合の裏面構成を示す背面図である。カバー２０１を外すと、カバー２０１内部には、図柄表示装置１０３の図柄を制御する画像制御基板２０４などの基板類や該基板を取付ける取付部材２１０が配設されている。なお、取付部材２１０に取付けられる基板類の詳細説明は図９に示す。
また、図８では、図柄表示装置１０３の配設位置を点線で示している。よって、後述するが図柄表示装置１０３を配設するセンター役物１２０の窓口も図８に点線で示す位置で開口している。
【００４０】
図９は、取付部材に取付られる機器構成を示す背面図である。図９に示すように取付部材２１０は、図柄表示装置１０３の図柄を制御する画像制御基板２０４、効果照明や効果音の作動制御を行うランプ・音声制御基板２０５及び複数のコネクタが取り付けられて制御信号や電力の中継を行う中継基板２０６を取付けている。
【００４１】
図柄表示装置１０３と主制御基板２０２、画像制御基板２０４、ランプ・音声制御基板２０５及び中継基板２０６の関係を簡単に説明すると、主制御基板２０２では、遊技球が始動入賞部１０４に入賞したことを図示しない検出装置で検出し、前記検出信号を契機に乱数抽選を行い、乱数抽選の結果を図柄表示装置１０３に表示すると共に、画像制御基板２０４やランプ・音声制御基板２０５に中継基板２０６を中継して送信する。
画像制御基板２０４では、主制御基板２０２から送信された乱数抽選の結果に基づいて、図柄表示装置１０３に装飾図柄パターンを表示する。ランプ・音声制御基板２０５は、前記装飾図柄パターンに合わせて、ランプを照射し音声を出力する。以上により、図柄表示装置１０３で図柄を表示させる場合に必要な制御処理を主制御基板２０２、画像制御基板２０４及びランプ・音声制御基板２０５で実施している。
画像制御基板２０４、ランプ・音声制御基板２０５及び中継基板２０６は取付部材２１０により遊技盤面１０２裏面に取付けられ、更に保護用のカバー２０１を配設されている。そのため、各種基板の保護と接続コネクタケーブル等の配置の観点から、図柄表示装置１０３（図８の点線部参照。）の周辺に上記の基板が集中して配設されることが望ましい。このため、各種基板の配置位置は制限され、後述する入賞口に入賞した遊技球を誘導する球通路を形成する場合、基板等の各機器の配置により空いたスペースを使用しなければならなかった。更に図柄表示装置のサイズが大きくなったので、球通路のための空きスペースを確保することが難しくなった。
【００４２】
図１０は、図８で基板を外した場合の裏面構成を示す背面図である。図１０は、図８に示す遊技盤面の裏面構成から、主制御基板２０２、画像制御基板２０４、ランプ・音声制御基板２０５及び中継基板２０６を外した裏面構成を示している。略中央には、センター役物１２０が配設され、該センター役物１２０の左右両端部に取付部材２１０が取付けられている。また、上記センター役物の中央には、図柄表示装置１０３を配設するため、前後開口された窓口を形成している。
【００４３】
また、センター役物１２０の下側に、排出球用の球通路２０７が配設されている。排出球用の球通路２０７は、始動入賞部１０４、入賞口１０６等に入賞した遊技球を集合させ、該遊技球を図示しない遊技施設側の遊技球回収設備に排出する球通路の一部である。排出球用の球通路２０７の左側には、図示しないカバー等が配設され、排出球用の球通路２０７とともに、球通路を形成している。後述するが、センター役物１２０の上側に配設されている入賞口１０６に入賞した遊技球は、センター役物１２０と一体形成された案内通路３００を通過し、排出球用の球通路２０７の左側に配設されるカバー等に落下後、排出球用の球通路２０７へ流下する。更に、排出球用の球通路２０７から遊技施設側の遊技球回収設備に排出される。
また、球通路２０７の下側には、アタッカーユニット１０８とアウト口１１０が配設されている。
【００４４】
次に、本発明にかかる案内通路３００について、図１１乃至図１６を通して説明する。ここで、図１１は本実施形態で用いられたセンター役物の背面図である。センター役物１２０は、略中央に図柄表示装置１０３を配設するための前後に開口された窓口を有し、上側に入賞口１０６を配設している。更に、前記入賞口１０６に入賞した遊技球を排出用の球通路２０７に誘導させるため、案内通路３００を一体形成している。そのため、遊技盤面１０２の組立て時に、案内通路３００をセンター役物１２０と別に取付ける必要が無く、組立て時の作業効率の向上につながっている。
また、本実施形態の案内通路３００は、センター役物１２０の裏面の空きスペースを使用して形成されているため、概略的に６個の通路部分（３００ａ、３００ｂ、３００ｃ、３００ｅ、３００ｆ）から構成され、複雑な構造となっている。
【００４５】
図１２は図１１のセンター役物を矢視ＡＡで切断した場合の断面図である。図１２に示すように、サンター役物１２０は５層構造になっている。図１２のように、遊技盤面１０２側から第１層１２０ａ、第２層１２０ｂ、第３層１２０ｃ、第４層１２０ｄ及び第５層１２０ｅとすると、第１層１２０ａには入賞口１０６（図１３参照）が配設されている。第２層及び第３層には、センター役物１２０の下段ステージ１４０と特別通路１５０が形成され、第４層及び第５層には、センター役物１２０の上段ステージ１３０と上段ステージ１３０が形成されている。
また、第２層の略中央には、役物入口１２１から流入し、センター役物１２０の側枠部にかけて形成された図示されない通路とセンター役物１２０の上段ステージ１３０を通過して、下段ステージ１４０に到達した遊技球を遊技盤面１０２に排出する排出経路１４１が形成されている。また、第５層の略中央には、役物入口１２１から流入し、センター役物１２０の側枠部にかけて形成された図示されない通路とセンター役物１２０の上段ステージ１３０を通過した遊技球を、特別通路１５０に流下させる流下孔１３４が形成されている。第１層乃至第５層の略中央には、上記の流下孔１３４から流下した遊技球を始動入賞部１０４に誘導する特別通路１５０が形成されている。該特別通路１５０の先端、つまり第１層略中央には、特別通路１５０に誘導された遊技球を始動入賞部１０４の拡大装置１０５、１０５の作動に関わらず、始動入賞部１０４に入賞させる落下孔１５２が形成されている。
更に、センター役物１２０の第５層の左端部に本発明の案内通路３００の通路部分３００ｅが形成されている。
【００４６】
図１３は図１１のセンター役物を矢視ＢＢで切断した場合の断面図、図１４は図１１センター役物を矢視ＣＣで切断した場合の断面図、図１５は図１１のセンター役物を矢視ＤＤで切断した場合の断面図、図１６は図１１に案内通路の全景を示したセンター役物の背面図である。
図１２と同様にセンター役物１２０の第１層に入賞口１０６が配設され、第２層及び第３層にセンター役物１２０の下段ステージ１４０が形成され、第２層略中央に排出経路１４１が形成されている。また、第１層乃至第５層に渡って形成された特別通路１５０の一部が表されている。
【００４７】
ここで、入賞口１０６に入賞した遊技球Ｆは、遊技球を垂直に落下させる案内通路の通路部分３００ａを流下し、センター役物１２０を前後に誘導する通路部分３００ｂに到達する（図１４参照）。通路部分３００ｂに到達した遊技球Ｇは、通路部分３００ｂを流下し、遊技球をセンター役物１２０の左方向に誘導する通路部分３００ｃに到達する。通路部分３００ｃは、図１６に示すように左方向に向かって勾配があり、通路部分３００ｃに到達した遊技球Ｈは、その勾配により左方向に流下する。通路部分３００ｃを流下している遊技球Ｉは、図１３に示したように、通路部分３００ｄに到達する（図１５参照）。通路部分３００ｄは、遊技球を第３層から第５層に誘導する曲がり部と通路部分３００ｅに連接する直線部を有し、通路部分３００ｃ同様、左方向に向かって勾配を備えている。よって、通路部分３００ｄに到達した遊技球は、第３層から第４層に誘導する曲がり部を曲がり、更に通路部分３００ｅに連接する直線部を流下し、通路部分３００ｅに到達する。通路部分３００ｅに到達した遊技球Ｊは、通路部分３００ｅを落下し、案内通路３００の最下端である通路部品３００ｆを通過して、排出球用の球通路２０７に誘導される（図１６参照）。
また、入賞口１０６に入賞した遊技球は、センター役物に一体形成された案内通路を流下し、案内通路の最下端である通路部分３００ｆから排出された後、図示していない案内通路３００の下側で、且つ排出球用の球通路２０７の左側に配設されているカバー等により、排出球用の球通路２０７に誘導される。
【００４８】
このように、中央に前後開口する窓口を有して枠状に形成され、窓口に図柄表示装置を備え、遊技盤面の略中央に配設される遊技部品に、入球部に流入した遊技球を外部に誘導する球通路に誘導する案内通路を配設することで、図柄表示装置のサイズが大きくなっても、遊技盤面の裏面に案内通路を配設するスペースを確保することができた。
また、入球部を遊技盤面の裏面の上側にも配設することもでき、遊技盤面の裏面に、基板等の機器を、より容易に配置することができた。更に、上記の遊技部品と案内通路を一体形成することで、部品点数を削減することができ、上記の遊技部品と案内通路の組立て時の作業効率を向上することができた。
【００４９】
以上より、本実施形態の弾球遊技機では、中央に前後開口する窓口を有して枠状に形成され、遊技盤面１０２の略中央に配設される遊技部品１２０と、遊技部品１２０の所定箇所に設けられた入球部１０６と、遊技部品１２０の窓口に配設される図柄表示装置１０３と、遊技盤面１２０の裏面の所定箇所より下側に設けられ、入球部１０６に流入した遊技球を外部に誘導する球通路２０７とを備える場合において、
遊技部品１２０の裏面に、入球部１０６に流入した遊技球を、球通路２０７に誘導する案内通路３００を配設した。これにより、入球部１０６に流入した遊技球を外部に誘導する球通路２０７に誘導する案内通路３００を上記の遊技部品１２０に配設することで、図柄表示装置のサイズが大きくなっても、遊技盤面１０２の裏面に案内通路３００を配設するスペースを確保することができる。
【００５０】
また、入球部１０６を遊技盤面１０２の裏面の上側にも配設することができ、遊技盤面１０２の裏面に、基板等の機器をより容易に配置することができた。
また、本実施形態の弾球遊技機では、案内通路３００は、遊技部品１２０と一体的に形成した。これにより、部品点数を削減することができ、上記の遊技部品と案内通路の組立て時の作業効率を向上することが可能になった。
【００５１】
また、本発明の弾球遊技機は、案内通路３００は、入球部１０６ごとに別個に配設しても良い。このようにすれば、複数の種類の入球部１０６を遊技部品に配設することができる。
【００５２】
尚、本発明は、以上に述べた実施形態に係る弾球遊技機に限られず、遊技部品と入球部用の案内通路を備える他の様々な弾球遊技機にも適用可能である。
特に、本発明の効果がより有効に発揮されるのは、上述した実施形態に係る弾球遊技機のように、入賞口が遊技盤面の上側に配設された場合に、入賞口に入賞した遊技球を遊技盤面の裏面の下側に配設されている球通路に誘導するために、遊技部品に案内通路を配設する弾球遊技機である。
【００５３】
また、本実施形態では、入賞口に入賞した遊技球を球通路に誘導させるための案内通路を遊技部品に配設しているが、特にこれに限定されることなく、入球部（入賞口と払出し球がない開口孔、例えば、入賞口、始動入賞部、大入賞口及びアウト口）に流入する遊技球を球通路に誘導させるための案内通路についても、適用可能である。更に、上記の案内通路を遊技部品と別個に作成し、遊技部品に配設することもできる。
【００５４】
また、上記の案内通路を遊技部品を一体形成しても良い。この場合、遊技部品が複数のパーツから構成されている場合、案内通路を別個の複数のパーツから形成することもできるし、遊技部品の複数のパーツを組立てると案内通路も同時に形成されているようにしても良い。
【００５５】
更に、案内通路を単数のパーツで形成しておき、遊技部品を組立てる場合に、案内通路の一部を組込んでも良い。
【００５６】
また、本実施形態では、入賞口を遊技部品に配設しているが、特にこれに限定されることなく、入賞口を遊技部品と離して、遊技盤面に配設しても良い。
【産業上の利用可能性】
【００５７】
本発明は、遊技球を用いる弾球遊技機であれば、いわゆるパチンコ遊技機のみならず、アレンジボール等他の弾球遊技機にも適用可能である。
【図面の簡単な説明】
【００５８】
【図１】弾球遊技機ＰＭを正面から見た正面図である。
【図２】弾球遊技機ＰＭを裏面から見た背面図である。
【図３】裏セット盤ＢＳＰから各種回路基板やカバー類を取り外した状態で示す背面図である。
【図４】裏セット盤ＢＳＰを取り外した状態で遊技盤２０の裏面構成を示す背面図である。
【図５】本発明の実施形態に係る弾球遊技機の遊技盤面の外観を示す正面図である。
【図６】本発明の実施形態に係るセンター役物の斜視図である。
【図７】本発明の実施形態に係る弾球遊技機の遊技盤面の裏面構成を示す背面図である。
【図８】図７でカバーを外した場合の裏面構成を示す背面図である。
【図９】取付部材に取付られる機器構成を示す背面図である。
【図１０】図８で基板を外した場合の裏面構成を示す背面図である。
【図１１】本実施形態で用いられたセンター役物の背面図である。
【図１２】図１１のセンター役物を矢視ＡＡで切断した場合の断面図である。
【図１３】図１１のセンター役物を矢視ＢＢで切断した場合の断面図である。
【図１４】図１１のセンター役物を矢視ＣＣで切断した場合の断面図である。
【図１５】図１１のセンター役物を矢視ＤＤで切断した場合の断面図である。
【図１６】図１１に案内通路の全景を示したセンター役物の背面図である。
【符号の説明】
【００５９】
ＢＳＰ 裏セット盤  ＰＡ 遊技領域  ＰＭ 弾球遊技機  １ 外枠  ２ 前枠（２ａ 収容枠）  ３ａ，３ｂ ヒンジ部材  ４ 施錠装置  ５ ガラス扉  ６ 上球皿（６ａ 球皿部、６ｂ 球抜きレバー）  ７ 下球皿  ８ 操作ハンドル  ９ 打球発射装置  １０ 遊技補助盤  １７ 係合レバー  １８ ヒンジ  １９ 閉鎖レバー  ２０ 遊技盤
２１ 化粧板  ２２ 案内レール（２２ａ 外レール、２２ｂ 内レール）  ２３ 風車
２４ 入賞口（２４ｈ 入賞球通路孔）  ２５ 始動入賞部  ２６ アタッカーユニット（２６ｈ 入賞球通路孔）  ２７ アウト口（２７ｈ アウト球通路孔）  ２８ 図柄表示装置  ２９ 裏カバー  ３０ 基枠体  ３１ 窓口  ４０ 球貯留供給機構
５０ 賞球払出機構  ５３ 賞球カセット  ７１ 球通路  ７４ 導出口  ７５ 遊技球排出通路（７５ｅ 排出口）
９１ 主制御基板  ９２ 賞球制御基板  ９３ ランプ・音声制御基板  ９４ 電源基板  ９５ 中継基板  ９６ ターミナル基板  ９７ 画像制御基板
１０１  弾球遊技機  １０２  遊技盤面  １０３  図柄表示装置  １０４  始動入賞部１０５  拡大装置  １０６  入賞口  １０７  作動ゲート  １０８  アタッカーユニット  １０９  大入賞口  １１０  アウト口  １１１  普通図柄表示部  １２０  センター役物  １２０ａ  第１層  １２０ｂ  第２層  １２０ｃ  第３層  １２０ｄ  第４層  １２０ｅ  第５層  
１２１  役物入口  １３０  上段ステージ  １３４  流下孔  １４０  下段ステージ  １４１  排出経路  １５０  特別通路  １５２  落下孔  
２０１  カバー  ２０２  主制御基板  ２０４  画像制御基板  ２０５  ランプ・音声制御基板  ２０６  中継基板  ２０７  排出球用の球通路  ２１０  取付部材  
３００  案内通路  ３００ａ、３００ｂ、３００ｃ、３００ｄ、３００ｅ、３００ｆ  通路部分
【図１】
2006034428.tif 000003
【図２】
2006034428.tif 000004
【図３】
2006034428.tif 000005
【図４】
2006034428.tif 000006
【図５】
2006034428.tif 000007
【図６】
2006034428.tif 000008
【図７】
2006034428.tif 000009
【図８】
2006034428.tif 000010
【図９】
2006034428.tif 000011
【図１０】
2006034428.tif 000012
【図１１】
2006034428.tif 000013
【図１２】
2006034428.tif 000014
【図１３】
2006034428.tif 000015
【図１４】
2006034428.tif 000016
【図１５】
2006034428.tif 000017
【図１６】
2006034428.tif 000018